(57)【特許請求の範囲】
【請求項１】
所定周波数帯域の電波を受信し、検波して出力する受信手段と、
この受信手段が特定の電波を受信しているときに、上記受信手段から第１の信号が出力されたか否かを検出する第１の検出手段と、
上記受信手段が上記特定の電波を受信しているときに、上記受信手段から第２の信号が出力されたか否かを検出する第２の検出手段と、
第１の報知モードと第２の報知モードとを選択的に指定するモード指定手段と、
このモード指定手段で上記第１の報知モードが指定されている状態では上記受信手段を間欠動作させる電源制御手段と、
上記モード指定手段で上記第１の報知モードが指定されている状態では上記第１の検出手段により第１の信号が検出された際に報知し、上記第２の報知モードが指定されている状態では上記第１及び第２の検出手段により第１及び第２の信号が検出された際に報知する報知制御手段と
を具備し、上記特定の信号を受信しているとき、上記第１の報知モードの場合は、上記特定の信号から第１の信号が検出されただけで報知を行ない、第２の報知モードの場合は、上記特定の信号から第１の信号及び第２の信号が検出された場合のみ報知を行なうようにしたことを特徴とする着信報知装置。
【請求項２】
上記報知制御手段は、上記第２の報知モードが指定されている状態では、上記第２の検出手段により第２の信号が検出されてから一定時間内に第１の検出手段により第１の信号が検出された際に報知することを特徴とする請求項１記載の着信報知装置。
【請求項３】
上記受信手段は、異なる複数の方式の電波を受信して検波、出力し、
上記受信手段で受信する電波の方式を選択的に指定する方式指定手段をさらに具備し、
上記第１及び第２の検出手段は、それぞれ上記方式指定手段で指定された方式に対応した第１の信号または第２の信号を検出する
ことを特徴とする請求項１記載の着信報知装置。
【請求項４】
上記モード指定手段により指定している内容を表示する表示手段をさらに具備したことを特徴とする請求項１記載の着信報知装置。
【請求項５】
上記方式指定手段により指定している内容を表示する表示手段をさらに具備したことを特徴とする請求項３記載の着信報知装置。
【請求項６】
所定周波数帯域の電波を受信し、検波して出力する受信処理と、
この受信処理で特定の電波を受信しているときに、上記受信処理で得た出力から第１の信号が出力されたか否かを検出する第１の検出処理と、
上記受信処理で上記特定の電波を受信しているときに、上記受信処理で得た出力から第２の信号が出力されたか否かを検出する第２の検出処理と、
第１の報知モードと第２の報知モードとを選択的に指定するモード指定処理と、
このモード指定処理で上記第１の報知モードが指定されている状態では上記受信手段を間欠動作させる電源制御処理と、
上記モード指定処理で上記第１の報知モードが指定されている状態では上記第１の検出処理により第１の信号が検出された際に報知し、上記第２の報知モードが指定されている状態では上記第１及び第２の検出処理により第１及び第２の信号が検出された際に報知する報知制御処理と
を有し、上記特定の信号を受信しているとき、上記第１の報知モードの場合は、上記特定の信号から第１の信号が検出されただけで報知を行ない、第２の報知モードの場合は、上記特定の信号から第１の信号及び第２の信号が検出された場合のみ報知を行なうようにしたことを特徴とする着信報知方法。
【請求項７】
コンピュータを、
所定周波数帯域の電波を受信し、検波して出力する受信手段、
この受信手段が特定の電波を受信しているときに、上記受信手段から第１の信号が出力されたか否かを検出する第１の検出手段、
上記受信手段が上記特定の電波を受信しているときに、上記受信手段から第２の信号が出力されたか否かを検出する第２の検出手段、
第１の報知モードと第２の報知モードとを選択的に指定するモード指定手段、
このモード指定手段で上記第１の報知モードが指定されている状態では上記受信手段を間欠動作させる電源制御手段、及び
上記モード指定手段で上記第１の報知モードが指定されている状態では上記第１の検出手段により第１の信号が検出された際に報知し、上記第２の報知モードが指定されている状態では上記第１及び第２の検出手段により第１及び第２の信号が検出された際に報知する報知制御手段
として機能させ、上記特定の信号を受信しているとき、上記第１の報知モードの場合は、上記特定の信号から第１の信号が検出されただけで報知を行ない、第２の報知モードの場合は、上記特定の信号から第１の信号及び第２の信号が検出された場合のみ報知を行なうようにするためのプログラムを記憶したことを特徴とする記憶媒体。
【発明の詳細な説明】
【０００１】
【発明の属する技術分野】
本発明は、所持している例えばアナログ／デジタル携帯電話への着信を報知する着信報知装置、着信報知方法及び記憶媒体に関する。
【０００２】
【従来の技術】
近時、アナログ／デジタル携帯電話やＰＨＳ（Ｐｅｒｓｏｎａｌ  Ｈａｎｄｙｐｈｏｎｅ  Ｓｙｓｔｅｍ：簡易型コードレス電話システム）端末機が広く一般に普及している。そして、このような電話機と併せて携帯することで、例えばバッグの中にしまった電話機への着信を代わって光の点滅等で報知する、キーホルダタイプの着信報知装置が該電話機のアクセサリーとしてやはり広く普及している。
【０００３】
この種の着信報知装置では、受信した信号が所定の条件を満たしているか否かを検出し、検出した場合に報知を行なうもので、例えばアナログ方式の携帯電話機用の同装置では、検波出力がＬレベルからＨレベルになってＨレベルのまま一定時間が経過すると報知を実施するようになっている。
【０００４】
【発明が解決しようとする課題】
しかし上記のような着信報知装置にあっては、近くに他の携帯電話機等がある場合、あるいは、通話中に電話機と同装置との間に人が入るなどして電波が一旦遮られて検波出力がＬレベルとなり、その後に遮るものがなくなって検波出力が再びＨレベルになった場合、あるいは電子レンジ等、同一周波数帯域の電気機器の強力な不要放射に反応した場合などに誤報知する。
【０００５】
このような誤報知を回避するためには、受信した信号の細部まで所定の信号に合致しているか否かを検出すれば、高い精度で検出を行なうことができる。しかしながら、受信した信号を詳細に検出するためには、着信がいつあるかはわからないので常時受信動作を実行していなければならず、消費電力が大きくなってしまうという不具合を生じることとなる。
【０００６】
ところで、上記着信報知装置を携帯電話機のアクセサリーとして単体で使用するのではなく、腕時計や電子手帳などの使用者が常時携帯する電子機器の一機能として組込むことが考えられているが、上述した如く誤動作を回避するためには消費電力が大きくなってしまうという不具合により、容量の小さな電池電源が前提となる電子機器への組込みを阻害している。
【０００７】
本発明は上記のような実情に鑑みてなされたもので、その目的とするところは、誤動作を起こすことがなく、且つ消費電力を極力小さくして、他の小型携帯機器の一機能として容易に組込むことが可能な着信報知装置、着信報知方法及び記憶媒体を提供することにある。
【０００８】
【課題を解決するための手段】
請求項１記載の発明は、所定周波数帯域の電波を受信し、検波して出力する受信手段と、この受信手段が特定の電波を受信しているときに、上記受信手段から第１の信号が出力されたか否かを検出する第１の検出手段と、上記受信手段が上記特定の電波を受信しているときに、上記受信手段から第２の信号が出力されたか否かを検出する第２の検出手段と、第１の報知モードと第２の報知モードとを選択的に指定するモード指定手段と、このモード指定手段で上記第１の報知モードが指定されている状態では上記受信手段を間欠動作させる電源制御手段と、上記モード指定手段で上記第１の報知モードが指定されている状態では上記第１の検出手段により第１の信号が検出された際に報知し、上記第２の報知モードが指定されている状態では上記第１及び第２の検出手段により第１及び第２の信号が検出された際に報知する報知制御手段とを具備し、上記特定の信号を受信しているとき、上記第１の報知モードの場合は、上記特定の信号から第１の信号が検出されただけで報知を行ない、第２の報知モードの場合は、上記特定の信号から第１の信号及び第２の信号が検出された場合のみ報知を行なうようにしたことを特徴とする。
【０００９】
このような構成とすれば、混雑した環境下にあっても誤動作を起こすことがなく、且つ誤動作を起こす可能性の低い環境下では間欠受信により消費電力を極力小さくすることができるので、他の小型の携帯電子機器の一機能として容易に組込むことが可能となる。
【００１０】
請求項２記載の発明は、上記請求項１記載の発明において、上記報知制御手段は、上記第２の報知モードが指定されている状態では、上記第２の検出手段により第２の信号が検出されてから一定時間内に第１の検出手段により第１の信号が検出された際に報知することを特徴とする。
【００１１】
このような構成とすれば、上記請求項１記載の発明の作用に加えて、無駄な重複動作を避けるようにしたため、より消費電力を小さくして、電源を有効に使用することができる。
【００１２】
請求項３記載の発明は、上記請求項１記載の発明において、上記受信手段は、異なる複数の方式の電波を受信して検波、出力し、上記受信手段で受信する電波の方式を選択的に指定する方式指定手段をさらに具備し、上記第１及び第２の検出手段は、それぞれ上記方式指定手段で指定された方式に対応した第１の信号または第２の信号を検出することを特徴とする。
【００１３】
このような構成とすれば、上記請求項１記載の発明の作用に加えて、方式の異なる複数の電波にも対応しながら、指定した方式に該当する報知のみを行なう、より誤動作を行ないにくいものとすることができる。
【００１４】
請求項４記載の発明は、上記請求項１記載の発明において、上記モード指定手段により指定している内容を表示する表示手段をさらに具備したことを特徴とする。
【００１５】
このような構成とすれば、上記請求項１記載の発明の作用に加えて、その時点で動作しているモード状態を使用者が確認することができる。
請求項５記載の発明は、上記請求項１記載の発明において、上記方式指定手段により指定している内容を表示する表示手段をさらに具備したことを特徴とする。
【００１６】
このような構成とすれば、上記請求項３記載の発明の作用に加えて、報知の対象となる受信電波の方式を使用者が確認することができる。
請求項６記載の発明は、所定周波数帯域の電波を受信し、検波して出力する受信処理と、この受信処理で特定の電波を受信しているときに、上記受信処理で得た出力から第１の信号が出力されたか否かを検出する第１の検出処理と、上記受信処理で上記特定の電波を受信しているときに、上記受信処理で得た出力から第２の信号が出力されたか否かを検出する第２の検出処理と、第１の報知モードと第２の報知モードとを選択的に指定するモード指定処理と、このモード指定処理で上記第１の報知モードが指定されている状態では上記受信手段を間欠動作させる電源制御処理と、上記モード指定処理で上記第１の報知モードが指定されている状態では上記第１の検出処理により第１の信号が検出された際に報知し、上記第２の報知モードが指定されている状態では上記第１及び第２の検出処理により第１及び第２の信号が検出された際に報知する報知制御処理とを有し、上記特定の信号を受信しているとき、上記第１の報知モードの場合は、上記特定の信号から第１の信号が検出されただけで報知を行ない、第２の報知モードの場合は、上記特定の信号から第１の信号及び第２の信号が検出された場合のみ報知を行なうようにしたことを特徴とする。
【００１７】
このような方法とすれば、混雑した環境下にあっても誤動作を起こすことがなく、且つ誤動作を起こす可能性の低い環境下では間欠受信により消費電力を極力小さくすることができるので、他の小型の携帯電子機器の一機能として容易に組込むことが可能となる。
【００１８】
請求項７記載の発明は、コンピュータを、所定周波数帯域の電波を受信し、検波して出力する受信手段、この受信手段が特定の電波を受信しているときに、上記受信手段から第１の信号が出力されたか否かを検出する第１の検出手段、上記受信手段が上記特定の電波を受信しているときに、上記受信手段から第２の信号が出力されたか否かを検出する第２の検出手段、第１の報知モードと第２の報知モードとを選択的に指定するモード指定手段、このモード指定手段で上記第１の報知モードが指定されている状態では上記受信手段を間欠動作させる電源制御手段、及び上記モード指定手段で上記第１の報知モードが指定されている状態では上記第１の検出手段により第１の信号が検出された際に報知し、上記第２の報知モードが指定されている状態では上記第１及び第２の検出手段により第１及び第２の信号が検出された際に報知する報知制御手段として機能させ、上記特定の信号を受信しているとき、上記第１の報知モードの場合は、上記特定の信号から第１の信号が検出されただけで報知を行ない、第２の報知モードの場合は、上記特定の信号から第１の信号及び第２の信号が検出された場合のみ報知を行なうようにするためのプログラムを記憶したことを特徴とする。
【００１９】
このような記憶内容とすれば、混雑した環境下にあっても誤動作を起こすことがなく、且つ誤動作を起こす可能性の低い環境下では間欠受信により消費電力を極力小さくすることができるので、他の小型の携帯電子機器の一機能として容易に組込むことが可能となる。
【００２０】
【発明の実施の形態】
以下本発明をアナログ／デジタル両方式の携帯電話機用の着信報知機能を組込んだ腕時計に適用した場合の実施の一形態について図面を参照して説明する。
図１はその回路構成を示すもので、１１は例えばバンド部に内蔵されたアンテナである。このアンテナ１１で受信された信号はまず受信部１２内のフロントエンド部１３に送られる。
【００２１】
フロントエンド部１３は、バンドパスフィルタ（ＢＰＦ）１４と高周波増幅器１５とで構成されるもので、アンテナ１１で受信した高周波の信号をバンドパスフィルタ１４を介して不要な周波数帯域の成分を除去した後に、後述する感度切換回路１８により増幅特性が切換設定される高周波増幅器１５で高周波成分を増幅させた後に出力する。
【００２２】
フロントエンド部１３から出力された信号は、受信部１２内でさらにバンドパスフィルタ（ＢＰＦ）１６を介して復調検波回路１７にてベースバンドまで復調検波され、その検波信号が受信部１２外の受信信号検出回路２０に送られる。
【００２３】
受信信号検出回路２０は、受信部１２の復調検波回路１７からの信号により着信の有無を検出するためのもので、具体的には後述するＭＰＵ２６内の入力回路３０からリセット信号を受けるまでの、信号のパルス数、立上がり回数、所定時間、例えば２５０ｍｓｅｃの間連続するＨレベル信号またはＬレベル信号をそれぞれ検出して検出結果を上記入力回路３０へ出力する。
【００２４】
ＭＰＵ２６は、ＲＡＭ２７、ＲＯＭ２８、制御信号コントロール回路２９、入力回路３０、ＣＰＵ３１、及び表示ドライバ３２から構成される。
制御信号コントロール回路２９は、上記受信部１２の感度切換回路１８に対して切換設定を行なう他、同受信部１２内の電源制御回路１９に対して電源オン信号及び電源オフ信号を送出することで受信動作のオン／オフ制御を行ない、また振動モータ部２１内のモータ駆動回路２２に駆動制御信号を送出することで同振動モータ部２１内の振動モータ２３を駆動させて着信を振動により一定時間、例えば１０秒間連続して報知させる。
【００２５】
入力回路３０は、上記受信信号検出回路２０の他、計時動作を行なう時計回路２４、各種操作スイッチを備えたスイッチ部２５とも接続される。
すなわち、時計回路２４は日付、時刻のデータと、１秒キャリー信号、及び２５０ｍｓｅｃキャリー信号を入力回路３０に出力する。また、スイッチ部２５は、スイッチＳＡ〜ＳＥを備え、これらの操作信号を入力回路３０へ出力する。
【００２６】
ＣＰＵ３１は、ＲＡＭ２７をワークメモリとし、ＲＯＭ２８に記憶されている動作プログラムにしたがってこの回路全体の動作制御を司る。
表示ドライバ３２は、ＣＰＵ３１から与えられる表示データに基づいてＬＣＤパネル３３を表示駆動し、日時、時刻や着信報知に関する各種モード設定状態等を表示させる。
【００２７】
次いで上記実施の形態の動作について説明する。
図２及び図３は、主としてＣＰＵ３１の制御による、基本となる時計モード時からの統括処理状態を示すフローチャートであって、その当初には日付、時刻を表示した上で（ステップＡ０１）、携帯電話機に対する着信報知を行なう機能がオン設定されているか否か判断する（ステップＡ０２）。
【００２８】
ここでオン設定されていると判断した場合には、その着信報知機能がオン設定されていることを示すキャラクタを併せてＬＣＤパネル３３で表示させる（ステップＡ０３）。
【００２９】
図１１（ｂ）（〜（ｅ））はこのように着信報知機能がオン設定されている場合のＬＣＤパネル３３での表示画面を例示するもので、アンテナが屹立している状態を表したキャラクタＭ１を画面左上部に表示している。
【００３０】
また、上記ステップＡ０２で着信報知の機能がオフ設定されていると判断した場合には、オフ設定されていることを示すキャラクタを併せてＬＣＤパネル３３で表示させる（ステップＡ０４）。
【００３１】
図１１（ａ）はこのように着信報知機能がオフ設定されている場合のＬＣＤパネル３３での表示画面を例示するもので、アンテナが倒れている状態を表したキャラクタＭ２を画面左上部に表示している。
【００３２】
こうした着信報知機能の設定状態に応じたキャラクタＭ１またはＭ２の表示を行なった後、次に曜日を表示するモードが設定されているか否か判断し（ステップＡ０５）、設定されていると判断した場合には曜日を表す文字列を併せてＬＣＤパネル３３で表示させる（ステップＡ０６）。
【００３３】
図１１（ａ）（〜（ｃ））はこのように曜日を表示する場合のＬＣＤパネル３３での表示画面を例示するもので、ドットマトリクスにより曜日を表す文字列Ｄ１として例えば「ＭＯＮ」を画面上部に表示している。
【００３４】
また、上記ステップＡ０５で曜日を表示するモードが設定されていないと判断した場合には、上記曜日を表す文字列Ｄ１に代えて、着信報知機能がオン設定されている時間帯のグラフを表示し（ステップＡ０７），合わせてその表示グラフ中の現在の時刻に対応する部分を点滅表示させる（ステップＡ０８）。
【００３５】
図１１（ｃ）（，（ｅ））はこのような時間帯のグラフＤ２を行なっているＬＣＤパネル３３の画面を例示するもので、ここでは縦５ドット×横１８ドットのドットマトリクスを用い、上２列で午前を、下２列で午後をそれぞれ表しており、時刻を表す「０」「６」「１２」の数字と併せて、着信報知機能がオン設定されている時間帯を点灯表示すると共に、現在の時刻に対応する位置の２ドットを点滅表示させ、現在の着信報知機能のオン／オフ設定状態が容易に確認できるようにしている。
【００３６】
こうした曜日を表す文字列Ｄ１または時間帯のグラフＤ２の表示を行なった後、次に携帯電話機への着信の受信感度を高く設定しているか否か判断し（ステップＡ０９）、受信感度を高く設定していると判断した場合にはその旨を表すマークを併せてＬＣＤパネル３３で表示させる（ステップＡ１０）。
【００３７】
図１１（ａ）（〜（ｅ））はこのように受信感度を高く設定している場合のＬＣＤパネル３３での表示画面を例示するもので、アンテナ記号と長短３本の線とによるマークＭ５を表示している。
【００３８】
また、上記ステップＡ０９で受信感度を低く設定していると判断した場合には、上記マークＭ５に代えて、図１２（ｊ）に示すようにアンテナ記号と短かい１本の線とによるマークＭ６を表示している。
【００３９】
こうして受信感度の設定の高低に応じたマークの表示を行なった後、次にその時点での環境が、周囲にも携帯電話機を所持している人が多く、誤報知を行なってしまう可能性が高い場合に対応した雑踏モードであるのか、あるいは比較的周囲に携帯電話機を所持している人が少なく、誤報知を行なってしまう可能性が低い場合に対応した郊外モードであるのかを判断し（ステップＡ１２）、雑踏モードであると判断した場合にはそのモードに対応したマークを併せてＬＣＤパネル３３で表示させる（ステップＡ１３）。
【００４０】
図１１（ｄ）（，（ｅ））はこのように雑踏モードが設定されている場合のＬＣＤパネル３３での表示画面を例示するもので、３つの人型による雑踏マークＭ４を表示している。
【００４１】
また、上記ステップＡ１２で雑踏モードではなく郊外モードであると判断した場合には、やはりそのモードに対応したマークを併せてＬＣＤパネル３３で表示させる（ステップＡ１４）。
【００４２】
図１１（ｂ）（，（ｃ））はこのように郊外モードが設定されている場合のＬＣＤパネル３３での表示画面を例示するもので、１つの人型のみによる郊外マークＭ３を表示している。
【００４３】
こうして雑踏モードと郊外モードに対応したマークの表示を行なった後に、上記スイッチ部２５に備えられるスイッチＳＣ，ＳＡ，ＳＢ，ＳＤ，ＳＥのいずれか操作されたか否かを順次サンプリングする（ステップＡ１５，Ａ１７，Ａ２２，Ａ２４，Ａ２７）。
【００４４】
上記ステップＡ１５でスイッチＳＣが操作されたと判断した場合には、曜日モードと時間帯モードとの切換を指定する操作があったこととなるので、上記図１１（ｂ）と同図（ｃ）、あるいは上記図１１（ｄ）と同図（ｅ）に示すように曜日を表す文字列Ｄ１と着信報知機能がオン設定された時間帯のグラフＤ２の表示を切換設定し（ステップＡ１６）、その後に上記ステップＡ０１からの処理に戻る。
【００４５】
また、上記ステップＡ１７でスイッチＳＡが操作されたと判断した場合には、郊外モードと雑踏モードとの切換を強制的に指定する操作があったこととなるので、上記図１１（ｂ）または同図（ｃ）と、上記図１１（ｄ）または同図（ｅ）とに示すように郊外モードと雑踏モードとを切換え、同時に郊外マークＭ３と雑踏マークＭ４の表示を切換設定する（ステップＡ１８）。
【００４６】
その後、切換えた後の現在のモードが雑踏であるか否かをあらためて判断し（ステップＡ１９）、雑踏モードであれば制御信号コントロール回路２９により電源制御回路１９への制御信号で受信部１２の電源を投入させ（ステップＡ２１）、また郊外モードであれば同様に受信部１２の電源を切断させてから（ステップＡ２０）、再び上記ステップＡ０１からの処理に戻る。
【００４７】
さらに、上記ステップＡ２２でスイッチＳＢが操作されたと判断した場合には、着信報知機能の動作／非動作の切換を指定する操作があったこととなるので、上記図１１（ａ）と同図（ｂ）（，（ｃ））あるいは上記図１１（ａ）と同図（ｄ）（，ｅ））に示すように着信報知を行なうか否かを切換設定し、同時に郊外マークＭ３または雑踏マークＭ４の表示／非表示を切換設定して（ステップＡ２３）、その後に上記ステップＡ０１からの処理に戻る。
【００４８】
また、上記ステップＡ２４でスイッチＳＤが操作されたと判断した場合には、着信報知機能が御設定されている時間帯を延長する指定の操作があったこととなるので、続いて上述した時間帯モードであるか否かを判断し（ステップＡ２５）、時間帯モードであれば着信放置機能がオン設定された時間帯の終了時刻を１時間だけ遅延設定し（ステップＡ２６）、その後に上記ステップＡ０１からの処理に戻る。
【００４９】
さらに、上記ステップＡ２７でスイッチＳＥが操作されたと判断した場合には、各種動作モードの設定状態を変更する指定の操作があったこととなるので、後述する設定処理を実行し（ステップＡ２８）、その後に上記ステップＡ０１からの処理に戻る。
【００５０】
図４は上記ステップＡ２８の設定処理のサブルーチンとなる詳細な処理内容を示すものである。その当初には、図１２（ａ）に示すような基本となる時計の通常の状態から、図１２（ｂ）に示すように機種選択の状態を示す文字列「ＭＯＤＥＬ」を１秒間だけ表示し（ステップＢ０１）、その後に図１２（ｃ），（ｄ）に示すようにその時点で選択されている携帯電話機の機種がデジタル方式であれば文字列「ＤＩＧＴＬ」を、アナログ方式であれば文字列「ＡＮＬＯＧ」を表示した状態で（ステップＢ０２）、スイッチ部２５のスイッチＳＣ，ＳＡまたＳＢ，ＳＥのいずれかが操作されるのを待機する（ステップＢ０３〜Ｂ０５）。
【００５１】
上記ステップＢ０４でスイッチＳＡまたはＳＢが操作されたと判断した場合には、図１２（ｃ），（ｄ）に示すように機種の方式を切換設定し（ステップＢ０６）、それから再び上記ステップＢ０２からの処理に戻る。
【００５２】
また、上記ステップＢ０５でスイッチＳＥが操作されたと判断した場合には、この設定処理を終了するものとして上記図１２（ａ）で示した基本の時計モードに表示を切換えて復帰し（ステップＢ２４）、以上でこの設定処理のサブルーチンを終了して再び上記図２のステップＡ０１に戻る。
【００５３】
さらに、上記ステップＢ０３でスイッチＳＣが操作されたと判断した場合には、この機種選択の状態から移行するものとし、次に着信報知機能がオン設定された時間帯の再設定状態を示す文字列「ＡＵＴＯ」を図１２（ｅ）に示すように１秒間だけ表示し（ステップＢ０７）、その後に図１２（ｆ）に示すように上記時間帯の開始時刻を表わすべく文字列「ＳＴＡＲＴ」と開始時刻とを表示した状態で（ステップＢ０８）、スイッチ部２５のスイッチＳＣ，ＳＡまたＳＢ，ＳＥのいずれかが操作されるのを待機する（ステップＢ０９〜Ｂ１１）。
【００５４】
上記ステップＢ１０でスイッチＳＡまたはＳＢが操作されたと判断した場合には、該開始時刻を１時間遅延させるか、あるいは１時間早めるように更新設定し（ステップＢ１２）、それから再び上記ステップＢ０８からの処理に戻る。
【００５５】
また、上記ステップＢ１１でスイッチＳＥが操作されたと判断した場合には、この設定処理を終了するものとして上記図１２（ａ）で示した基本の時計モードに表示を切換えて復帰し（ステップＢ２４）、以上でこの設定処理のサブルーチンを終了して再び上記図２のステップＡ０１に戻る。
【００５６】
さらに、上記ステップＢ０９でスイッチＳＣが操作されたと判断した場合には、この開始時刻の再設定の状態から移行するものとし、次に図１２（ｇ）に示すように上記時間帯の終了時刻を表わすべく文字列「ＳＴＯＰ」と終了時刻とをすでに再設定した開始時刻と共に表示した状態で（ステップＢ１３）、スイッチ部２５のスイッチＳＣ，ＳＡまたＳＢ，ＳＥのいずれかが操作されるのを待機する（ステップＢ１４〜Ｂ１６）。
【００５７】
上記ステップＢ１５でスイッチＳＡまたはＳＢが操作されたと判断した場合には、該終了時刻を１時間遅延させるか、あるいは１時間早めるように更新設定し（ステップＢ１７）、それから再び上記ステップＢ１３からの処理に戻る。
【００５８】
また、上記ステップＢ１６でスイッチＳＥが操作されたと判断した場合には、この設定処理を終了するものとして上記図１２（ａ）で示した基本の時計モードに表示を切換えて復帰し（ステップＢ２４）、以上でこの設定処理のサブルーチンを終了して再び上記図２のステップＡ０１に戻る。
【００５９】
さらに、上記ステップＢ１４でスイッチＳＣが操作されたと判断した場合には、この終了時刻の再設定の状態から移行するものとし、次に図１２（ｈ）に示すように着信報知機能の感度設定を表わすべく文字列「ＬＥＶＥＬ」とその時点で設定されている受信感度を表すマークとを１秒間だけ表示し（ステップＢ１８）、その後に図１２（ｉ），（ｊ）に示すようにその時点で選択されている受信感度が高い場合であれば文字列「ＨＩＧＨ」と上記マークＭ５を、低い場合であれば文字列「ＬＯＷ」と上記マークＭ６を表示した状態で（ステップＢ１９）、スイッチ部２５のスイッチＳＣ，ＳＡまたＳＢ，ＳＥのいずれかが操作されるのを待機する（ステップＢ２０〜Ｂ２２）。
【００６０】
上記ステップＢ２１でスイッチＳＡまたはＳＢが操作されたと判断した場合には、図１２（ｉ），（ｊ）に示すように受信感度を切換設定し（ステップＢ２３）、それから再び上記ステップＢ０２からの処理に戻る。
【００６１】
また、上記ステップＢ２２でスイッチＳＥが操作されたと判断した場合には、この設定処理を終了するものとして上記図１２（ａ）で示した基本の時計モードに表示を切換えて復帰し（ステップＢ２４）、以上でこの設定処理のサブルーチンを終了して再び上記図２のステップＡ０１に戻る。
【００６２】
さらに、ステップＢ２０でスイッチＳＣが操作されたと判断した場合には、この受信感度の設定の状態から移行するものとし、再び循環的に上記ステップＢ０１からの処理に戻る。
【００６３】
このように、スイッチＳＣの操作により、機種の選択、着信報知機能がオン設定された時間帯の開始時刻と終了時刻の再設定、及び受信感度の設定を循環的に選択して、スイッチＳＡまたはＳＢの操作により必要な設定操作を行ない、選択が終了した時点でスイッチＳＥを操作してこの図４の設定処理を終了し、上述したように上記図２のステップＡ０１からの処理に戻るようになる。
【００６４】
しかして、上記ステップＡ２７でスイッチＳＥも操作されなかったと判断した場合には、次いで着信報知機能がオン設定されているか否かを判断し（ステップＡ２９）、オフ設定されている場合には再び上記ステップＡ０１からの処理を繰返し実行する。
【００６５】
また、ステップＡ２９でオン設定されていると判断した場合には、次いでその時点が着信報知機能がオン設定された時間帯内であることを確認した上で（ステップＡ３０）、次いで着信報知を行なうのが上記雑踏モードであるか、郊外モードであるかを判断する（ステップＡ３１）。
【００６６】
ここで、雑踏モードではなく郊外モードであると判断した場合には、ただちに着信検出報知処理に移行するが（ステップＡ３５）、雑踏モードであると判断した場合には、さらにこの雑踏モードに切換えてからすでに雑踏モードの最大動作時間である１時間以上経過したことを確認する（ステップＡ３２）。
【００６７】
ここで、雑踏モードに切換えてからまだ１時間が経過していないと判断した場合には、ただちに上記着信検出報知処理に移行するが（ステップＡ３５）、１時間以上経過したと判断した場合には、雑踏モードを郊外モードに切換設定した後（ステップＡ３３）、制御信号コントロール回路２９により電源制御回路１９への制御信号で受信部１２の電源を切断させてから（ステップＡ３４）、着信検出報知処理に移行する（ステップＡ３５）。
【００６８】
図５は上記ステップＡ３５の着信検出報知処理のサブルーチンとなる詳細な処理内容を示すものである。その当初には、まず設定されている携帯電話機の機種がアナログ方式であるかデジタル方式であるかを判断する（ステップＣ０１）。
【００６９】
そして、携帯電話機能機種がアナログ方式であると判断すると、さらに現在の動作モードが郊外モードと雑踏モードのいずれに設定されているかを判断し（ステップＣ０２）、郊外モードであると判断した場合にはアナログ郊外モードでの着信検出報知処理を実行し（ステップＣ０３）、また雑踏モードであると判断した場合にはアナログ雑踏モードでの着信検出報知処理を実行して（ステップＣ０４）、この図５の処理を終了すると共に、上記図２及び図３の処理においては再びステップＡ０１からの処理に戻る。
【００７０】
また、上記ステップＣ０１で携帯電話機能機種がデジタル方式であると判断した場合も同様に、さらに現在の動作モードが郊外モードと雑踏モードのいずれに設定されているかを判断し（ステップＣ０５）、郊外モードであると判断した場合にはデジタル郊外モードでの着信検出報知処理を実行し（ステップＣ０７）、また雑踏モードであると判断した場合にはデジタル雑踏モードでの着信検出報知処理を実行して（ステップＣ０６）、この図５の処理を終了すると共に、上記図２及び図３の処理においては再びステップＡ０１からの処理に戻る。
【００７１】
図６は上記ステップＣ０３のアナログ郊外モードでの着信検出報知処理のサブルーチンとなる詳細な処理内容を示すものである。その当初には、まず時計回路２４から１秒単位で出力されるキャリー信号があるか否か判断し（ステップＤ０１）、ないと判断した場合にはただちにこの図６の処理を終了する。
【００７２】
また、１秒キャリー信号があると判断した場合は、制御信号コントロール回路２９により電源制御回路１９への制御信号で受信部１２の電源を投入してから（ステップＤ０２）、受信信号検出回路２０の動作をリセットする（ステップＤ０３）。
【００７３】
その後、時計回路２４からの２５０ｍｓｅｃキャリー信号の受信を待機し（ステップＤ０４）、受信したと判断した時点で、次に受信信号検出回路２０の検出結果を入力回路３０を介して読込んだ上で（ステップＤ０５）、この受信信号検出回路２０の動作をリセットする（ステップＤ０６）。
【００７４】
次いで、上記ステップＤ０５で読込んだ受信信号検出回路２０の検出結果が信号レベルの立上がりを有するか、あるいは２５０ｍｓｅｃの間“Ｈ”レベルであったか否かを判断する（ステップＤ０７）。
【００７５】
ここで、信号レベルの立上がりを有するか、あるいは“Ｈ”レベルであると判断すると、着信検出の可能性があることとなるので、次いでＲＡＭ２７に保持設定させる検出フラグがオンとなっているか否かを判断する（ステップＤ１１）。
【００７６】
この検出フラグは、着信を検出して振動モータ部２１による振動動作を開始するとオフに設定され、また携帯電話機による通話が終了した後２５０ｍｓｅｃ間の“Ｌ”レベルが検出されるとオンに設定されるもので、ここでオンに設定されていると判断すると、再び上記ステップＤ０４〜Ｄ０６と同様の２５０ｍｓｅｃ間の受信信号検出回路２０の検出結果を読込む処理を実行し（ステップＤ１２）、この２５０ｍｓｅｃの間、復調検波回路１７の出力が“Ｈ”レベルであったか否かを判断する（ステップＤ１３）。
【００７７】
ここで“Ｈ”レベルであったと判断すると、再度上記ステップＤ０４〜Ｄ０６と同様の２５０ｍｓｅｃ間の受信信号検出回路２０の検出結果を読込む処理を実行し（ステップＤ１４）、この直前の２５０ｍｓｅｃの間、復調検波回路１７の出力がＨレベルであったか否かを判断する（ステップＤ１５）。
【００７８】
ここでも“Ｈ”レベルであると判断すると、復調検波回路１７の出力が立上がり状態から続く２回の２５０ｍｓｅｃの間、連続して“Ｈ”レベルであったか、少なくとも３回の２５０ｍｓｅｃの間、連続して“Ｈ”レベルであったことととなるので、着信があったものと判断し、ＲＡＭ２７の検出フラグをオフに設定した後に（ステップＤ１６）、制御信号コントロール回路２９から振動モータ部２１のモータ駆動回路２２に駆動制御信号を送出することで、一定時間、例えば１０秒間連続した振動モータ２３の駆動による着信を報知するための振動を開始させる（ステップＤ１７）。
【００７９】
図１３はこの振動による着信検出報知の処理に併せて行なうＬＣＤパネル３３での表示画面を例示するものである。例えば、図１３（ａ）に示すような郊外モードでの曜日表示による基本時計の表示画面を表示している状態にあって、携帯電話機への着信電波の受信を検出した場合には、上述したように振動モータ部２１により８Ｈｚ程度の例えば１０秒間連続して振動動作させると共に、ＬＣＤパネル３３の画面においては例えば図１３（ｂ）に示すようにアンテナが屹立している状態を表したキャラクタＭ１に代えて、隕石が到来したようにキャラクタＭ７を表示させるものとする。
【００８０】
その後、制御信号コントロール回路２９により電源制御回路１９への制御信号で受信部１２の電源を切断して（ステップＤ１８）、以上でこの図６の処理を終了すると共に、上記図５の着信報知処理も終了して、図２のステップＡ０１からの処理に戻る。
【００８１】
また、上記ステップＤ１１でＲＡＭ２７の検出フラグがオンではなくオフとなっていると判断した場合、あるいは上記ステップＤ１３，Ｄ１５で受信信号検出回路２０の検出結果が２５０ｍｓｅｃの間“Ｈ”レベルではないと判断した場合には、着信検出ができなかったものとして、ただちにステップＤ１８に進んで制御信号コントロール回路２９により電源制御回路１９への制御信号で受信部１２の電源を切断し、以上でこの図６の処理を終了すると共に、上記図５の着信報知処理も終了して、図２のステップＡ０１からの処理に戻る。
【００８２】
さらに、上記ステップＤ０７で受信信号検出回路２０の検出結果が信号レベルの立上がりを有しておらず、且つ２５０ｍｓｅｃの間“Ｈ”レベルでもないと判断した場合には、次いで上記ステップＤ０５で読込んだ受信信号検出回路２０の検出結果が２５０ｍｓｅｃの間“Ｌ”レベルであったか否か判断する（ステップＤ０８）。
【００８３】
そして、“Ｌ”レベルであったと判断すると、次いでＲＡＭ２７に保持設定させる検出フラグがオフとなっているか否かを判断し（ステップＤ０９）、オフとなっていると判断した場合には、携帯電話機での通話が終了したものとしてＲＡＭ２７の検出フラグをあらためてオンに設定した後に（ステップＤ１０）、制御信号コントロール回路２９により電源制御回路１９への制御信号で受信部１２の電源を切断して（ステップＤ１８）、以上でこの図６の処理を終了すると共に、上記図５の着信報知処理も終了して、図２のステップＡ０１からの処理に戻る。
【００８４】
また、上記ステップＤ０８で読込んだ受信信号検出回路２０の検出結果が２５０ｍｓｅｃの間“Ｌ”レベルでもなかったと判断した場合、すなわち信号の立下がりを有していた場合、あるいは上記ステップＤ０９でＲＡＭ２７の検出フラグがオフではなくオンに設定されていると判断した場合には、ただちにステップＤ１８に進んで制御信号コントロール回路２９により電源制御回路１９への制御信号で受信部１２の電源を切断し、以上でこの図６の処理を終了すると共に、上記図５の着信報知処理も終了して、図２のステップＡ０１からの処理に戻る。
【００８５】
次いで図７により上記図５のステップＣ０４のアナログ雑踏モードでの着信検出報知処理のサブルーチンとなる詳細な処理内容を説明する。このアナログ雑踏モードでは、受信部１２は常時動作しており、ＲＡＭ２７に保持設定される制御フラグが通信制御信号を受信していない状態でオフに設定される。
【００８６】
その当初には、ＲＡＭ２７の制御フラグがオフに設定されているか否かを判断し（ステップＥ０１）、オフに設定されていると判断すると、次いで上記図６のステップＤ０４〜Ｄ０６と同様の２５０ｍｓｅｃ間の受信信号検出回路２０の検出結果を読込む処理を実行した上で（ステップＥ０２）、ＲＡＭ２７の検出フラグがオンに設定されているか否か、すなわち着信を待機している状態であるか否かを判断する（ステップＥ０３）。
【００８７】
ここで検出フラグがオンに設定されていると判断すると、次に受信信号検出回路２０の検出結果にパルスの立上がりが２回連続しているか否かを判断する（ステップＥ０６）。
【００８８】
これは、図１４（１）に示すように８００ＭＨｚ帯のアナログ方式の着信の際の受信信号先頭に配置された通信制御信号を検出するためのもので、あると判断した場合にのみ、ＲＡＭ２７の制御フラグをオンに設定し（ステップＥ０７）、以上でこの図７の処理を終了すると共に、上記図５の着信報知処理も終了して、図２のステップＡ０１からの処理に戻る。
【００８９】
また、上記ステップＥ０３でＲＡＭ２７の検出フラグがオンではなくオフに設定されていると判断した場合には、次いで上記ステップＥ０２で読込んだ受信信号検出回路２０の検出結果が２５０ｍｓｅｃの間“Ｌ”レベルであったか否か判断する（ステップＥ０４）。
【００９０】
そして、“Ｌ”レベルであったと判断した場合にのみ、携帯電話機での通話が終了したものとしてＲＡＭ２７の検出フラグをあらためてオンに設定し（ステップＥ０５）、以上でこの図７の処理を終了すると共に、上記図５の着信報知処理も終了して、図２のステップＡ０１からの処理に戻る。
【００９１】
また、上記ステップＥ０１でＲＡＭ２７の制御フラグがオフではなくオンに設定されていると判断した場合には、上記ステップＥ０７での処理によりすでに通信制御信号を検出済みであることとなるので、次に上記通信制御信号を検出してから３秒が経過しているか否かを判断する（ステップＥ０８）。
【００９２】
これは、通信制御信号を検出してから３秒以内に通信を開始しない場合に上記通信制御信号の検出を無効とする規定に基づくもので、すでに３秒以上経過していると判断した場合には、あらためて上記規定により制御フラグをオフに設定し（ステップＥ０９）、以上でこの図７の処理を終了すると共に、上記図５の着信報知処理も終了して、図２でステップＡ０１からの処理に戻る。
【００９３】
また、上記ステップＥ０８で上記通信制御信号を検出してからまだ３秒は経過していないと判断した場合には、上記アナログ郊外モードと同様に、２５０ｍｓｅｃ間の受信信号検出回路２０の検出結果を読込んでリセットする処理を実行し（ステップＥ１０）、読込んだ受信信号検出回路２０の検出結果が信号レベルの立上がりを有するか、あるいは２５０ｍｓｅｃの間“Ｈ”レベルであったか否かを判断する（ステップＥ１１）。
【００９４】
ここで、信号レベルの立上がりを有するか、あるいは“Ｈ”レベルであると判断すると、着信検出の可能性があることとなるので、再び２５０ｍｓｅｃ間の受信信号検出回路２０の検出結果を読込む処理を実行し（ステップＥ１２）、この直前の２５０ｍｓｅｃの間、復調検波回路１７の出力が“Ｈ”レベルであったか否かを判断する（ステップＤ１３）。
【００９５】
ここで“Ｈ”レベルであったと判断すると、再度２５０ｍｓｅｃ間の受信信号検出回路２０の検出結果を読込む処理を実行し（ステップＥ１４）、この直前の２５０ｍｓｅｃの間、復調検波回路１７の出力がＨレベルであったか否かを判断する（ステップＥ１５）。
【００９６】
ここでも“Ｈ”レベルであると判断すると、復調検波回路１７の出力が立上がり状態から続く２回の２５０ｍｓｅｃの間、連続して“Ｈ”レベルであったか、少なくとも３回の２５０ｍｓｅｃの間、連続して“Ｈ”レベルであったことととなるので、着信があったものと判断し、ＲＡＭ２７の検出フラグをオフに設定し（ステップＥ１６）、さらに制御フラグもオフに設定した後に（ステップＥ１７）、制御信号コントロール回路２９から振動モータ部２１のモータ駆動回路２２に駆動制御信号を送出することで、一定時間、例えば１０秒間連続した振動モータ２３の駆動による着信を報知するための振動を開始させ（ステップＥ１８）、同時に上記図１３で示したような着信を報知する表示処理も行なって、以上でこの図７の処理を終了すると共に、上記図５の着信報知処理も終了して、図２でステップＡ０１からの処理に戻る。
【００９７】
なお、上記ステップＥ１１で受信信号検出回路２０の検出結果が信号レベルの立上がりを有しておらず、且つ２５０ｍｓｅｃの間“Ｈ”レベルでもないと判断した場合、あるいは上記ステップＥ１３，Ｅ１５で受信信号検出回路２０の検出結果が２５０ｍｓｅｃの間“Ｈ”レベルではないと判断した場合には、着信検出ができなかったものとして、ただちに以上でこの図７の処理を終了すると共に、上記図５の着信報知処理も終了して、図２のステップＡ０１からの処理に戻る。
【００９８】
次に、図８により上記図５のステップＣ０６のデジタル郊外モードでの着信検出報知処理のサブルーチンとなる詳細な処理内容を説明する。その当初には、まず時計回路２４から１秒単位で出力されるキャリー信号があるか否か判断し（ステップＦ０１）、ないと判断した場合にはただちにこの図８の処理を終了する。
【００９９】
また、１秒キャリー信号があると判断した場合は、制御信号コントロール回路２９により電源制御回路１９への制御信号で受信部１２の電源を投入してから（ステップＦ０２）、受信信号検出回路２０の動作をリセットする（ステップＦ０３）。
【０１００】
その後、上記図６のステップＤ０４〜Ｄ０６と同様の２５０ｍｓｅｃ間の受信信号検出回路２０の検出結果の読込みとリセットとを行ない（ステップＦ０４）、読込んだ受信信号検出回路２０の検出結果がパルスがありか否かを判断する（ステップＦ０５）。
【０１０１】
これは、図１５（２）に示すように８００ＭＨｚ帯のデジタル方式の着信の際の受信信号先頭に配置された通信制御信号に続く通信開始状態での連続したパルスを検出するためのもので、パルスがありと判断した場合は、着信検出の可能性があることとなるので、次いでＲＡＭ２７に保持設定される検出フラグがオンとなっているか否かを判断する（ステップＦ０８）。
【０１０２】
この検出フラグは、着信を検出して振動モータ部２１による振動動作を開始するとオフに設定され、また携帯電話機による通話が終了した後、２５０ｍｓｅｃ間パルスがないとオンに設定されるもので、ここでオンに設定されていると判断すると、上記２５０ｍｓｅｃ間で検出したパルスの積算値を算出した後（ステップＦ０９）、再び２５０ｍｓｅｃ間の受信信号検出回路２０の検出結果を読込む処理を実行し（ステップＦ１０）、都合２回の連続した２５０ｍｓｅｃの間のパルスの積算値と特にこのうちの２回目の２５０ｍｓｅｃの間のパルスの数とを算出する（ステップＦ１１）。
【０１０３】
そして、この算出したパルスの数と積算値とがそれぞれ所定の範囲内から外れていないか否かを判断し（ステップＦ１２）、そのいずれもがその所定範囲内にあると判断した場合には、着信があったものと判断し、ＲＡＭ２７の検出フラグをオフに設定した後に（ステップＦ１３）、制御信号コントロール回路２９から振動モータ部２１のモータ駆動回路２２に駆動制御信号を送出することで、一定時間、例えば１０秒間連続した振動モータ２３の駆動による着信を報知するための振動を開始させる（ステップＦ１４）。
【０１０４】
このときも、上記アナログ郊外モード／アナログ雑踏モードの場合と同様に図１３で示したようなＬＣＤパネル３３での着信の報知の表示を同時に行ない、その後に制御信号コントロール回路２９により電源制御回路１９への制御信号で受信部１２の電源を切断して（ステップＦ２０）、以上でこの図８の処理を終了すると共に、上記図５の着信報知処理も終了して、図２でステップＡ０１からの処理に戻る。
【０１０５】
また、上記ステップＦ１２で算出したパルスの数と積算値の少なくとも一方が所定の範囲を超えているものと判断した場合には、ただちに着信が検出できなかったものとして、制御信号コントロール回路２９により電源制御回路１９への制御信号で受信部１２の電源を切断して（ステップＦ２０）、以上でこの図８の処理を終了すると共に、上記図５の着信報知処理も終了して、図２のステップＡ０１からの処理に戻る。
【０１０６】
さらに、上記ステップＦ１２で算出したパルスの数と積算値の少なくとも一方が所定の範囲を下回っているものと判断した場合には、続けて３度目の２５０ｍｓｅｃ間の受信信号検出回路２０の検出結果を読込む処理を実行し（ステップＦ１５）、都合３回の連続した２５０ｍｓｅｃの間のパルスの積算値と特にこのうちの３回目の２５０ｍｓｅｃの間のパルスの数とを算出する（ステップＦ１６）。
【０１０７】
そして、この算出したパルスの数と積算値とがそれぞれ所定の範囲内から外れていないか否かを判断し（ステップＦ１７）、そのいずれもがその所定範囲内にあると判断した場合には、やはり着信があったものと判断し、ＲＡＭ２７の検出フラグをオフに設定した後に（ステップＦ１８）、制御信号コントロール回路２９から振動モータ部２１のモータ駆動回路２２に駆動制御信号を送出することで、一定時間、例えば１０秒間連続した振動モータ２３の駆動による着信を報知するための振動を開始させる（ステップＦ１９）。
【０１０８】
このときも、上記アナログ郊外モード／アナログ雑踏モードの場合と同様に図１３で示したようなＬＣＤパネル３３での着信の報知の表示を同時に行ない、その後に制御信号コントロール回路２９により電源制御回路１９への制御信号で受信部１２の電源を切断して（ステップＦ２０）、以上でこの図８の処理を終了すると共に、上記図５の着信報知処理も終了して、図２でステップＡ０１からの処理に戻る。
【０１０９】
また、上記ステップＦ１７で算出したパルスの数と積算値との少なくとも一方が所定の範囲から外れていると判断した場合には、ただちに着信が検出できなかったものとして、制御信号コントロール回路２９により電源制御回路１９への制御信号で受信部１２の電源を切断して（ステップＤ２０）、以上でこの図８の処理を終了すると共に、上記図５の着信報知処理も終了して、図２のステップＡ０１からの処理に戻る。
【０１１０】
なお、上記ステップＦ０５で読込んだ受信信号検出回路２０の検出結果中にパルスが含まれていなかったと判断した場合には、次いでＲＡＭ２７に保持設定される検出フラグがオフとなっているか否かを判断し（ステップＦ０６）、オフとなっていると判断した場合には、携帯電話機での通話が終了したものとしてＲＡＭ２７の検出フラグをあらためてオンに設定した後に（ステップＦ０７）、制御信号コントロール回路２９により電源制御回路１９への制御信号で受信部１２の電源を切断して（ステップＦ２０）、以上でこの図８の処理を終了すると共に、上記図５の着信報知処理も終了して、図２のステップＡ０１からの処理に戻る。
【０１１１】
また、上記ステップＦ０６でＲＡＭ２７の検出フラグがオフではなくオンに設定されていると判断した場合には、ただちにステップＦ２０に進んで制御信号コントロール回路２９により電源制御回路１９への制御信号で受信部１２の電源を切断し、以上でこの図８の処理を終了すると共に、上記図５の着信報知処理も終了して、図２のステップＡ０１からの処理に戻る。
【０１１２】
次いで図９及び図１０により上記図５のステップＣ０７のデジタル雑踏モードでの着信検出報知処理のサブルーチンとなる詳細な処理内容を説明する。このデジタル雑踏モードでは、受信部１２は常時動作しており、ＲＡＭ２７に保持設定される制御フラグが通信制御信号を受信していない状態でオフに設定される。
【０１１３】
その当初には、ＲＡＭ２７の制御フラグがオフに設定されているか否かを判断し（ステップＧ０１）、オフに設定されていると判断すると、次いで上記図６のステップＤ０４〜Ｄ０６と同様の２５０ｍｓｅｃ間の受信信号検出回路２０の検出結果を読込む処理を実行した上で（ステップＧ０２）、ＲＡＭ２７の検出フラグがオンに設定されているか否か、すなわち着信を待機している状態であるか否かを判断する（ステップＧ０３）。
【０１１４】
ここで検出フラグがオンに設定されていると判断すると、次に読込んだ受信信号検出回路２０の検出結果がパルスが無しであったか否かを判断する（ステップＧ０４）。
【０１１５】
これは、図１４（２）に示すように８００ＭＨｚ帯のデジタル方式の着信の際の受信信号先頭に配置された通信制御信号を検出するためのもので、ないと判断した場合にのみ、ＲＡＭ２７の制御フラグをオンに設定し（ステップＧ０５）、以上でこの図９及び図１０の処理を終了すると共に、上記図５の着信報知処理も終了して、図２でのステップＡ０１からの処理に戻る。
【０１１６】
また、上記ステップＧ０３でＲＡＭ２７の検出フラグがオンではなくオフに設定されていると判断した場合には、次に受信信号検出回路２０の検出結果がパルスの立上がりが２回連続であるか否かを判断する（ステップＧ０８）。
【０１１７】
これは、図１４（２）に示すように８００ＭＨｚ帯のデジタル方式の着信の際の受信信号先頭に配置された通信制御信号を検出するためのもので、あると判断した場合にのみ、ＲＡＭ２７の制御フラグをオンに設定し（ステップＧ０９）、以上でこの図９及び図１０の処理を終了すると共に、上記図５の着信報知処理も終了して、図２のステップＡ０１からの処理に戻る。
【０１１８】
また、上記ステップＧ０１でＲＡＭ２７の制御フラグがオフではなくオンに設定されていると判断した場合には、上記ステップＧ０９の処理によりすでに通信制御信号を検出済みであることとなるので、次に上記通信制御信号を検出してから３秒が経過しているか否かを判断する（ステップＧ０６）。
【０１１９】
これは、通信制御信号を検出してから３秒以内に通信を開始しない場合に上記通信制御信号の検出を無効とする規定に基づくもので、すでに３秒以上経過していると判断した場合には、あらためて上記規定により制御フラグをオフに設定し（ステップＧ０７）、以上でこの図９及び図１０の処理を終了すると共に、上記図５の着信報知処理も終了して、図２でステップＡ０１からの処理に戻る。
【０１２０】
また、上記ステップＧ０６で上記通信制御信号を検出してからまだ３秒は経過していないと判断した場合には、上記デジタル郊外モードと同様に、上記図６のステップＤ０４〜Ｄ０６と同様の２５０ｍｓｅｃ間の受信信号検出回路２０の検出結果の読込みとリセットとを行ない（ステップＧ１０）、読込んだ受信信号検出回路２０の検出結果がパルスがありか否かを判断する（ステップＧ１１）。
【０１２１】
これは、上記図１５（２）に示したように８００ＭＨｚ帯のデジタル方式の着信の際の受信信号先頭に配置された通信制御信号に続く通信開始状態での連続したパルスを検出するためのもので、ありと判断した場合は、着信検出の可能性があることとなるので、次いで上記２５０ｍｓｅｃ間で検出したパルスの積算値を算出した後（ステップＧ１２）、再び２５０ｍｓｅｃ間の受信信号検出回路２０の検出結果を読込む処理を実行し（ステップＧ１３）、都合２回の連続した２５０ｍｓｅｃの間のパルスの積算値と特にこのうちの２回目の２５０ｍｓｅｃの間のパルスの数とを算出する（ステップＧ１４）。
【０１２２】
そして、この算出したパルスの数と積算値とがそれぞれ所定の範囲内から外れていないか否かを判断し（ステップＧ１５）、そのいずれもがその所定範囲内にあると判断した場合には、着信があったものと判断し、ＲＡＭ２７の検出フラグをオフに設定し（ステップＧ１６）、合わせて同制御フラグもオフに設定した後に（ステップＧ１７）、制御信号コントロール回路２９から振動モータ部２１のモータ駆動回路２２に駆動制御信号を送出することで、一定時間、例えば１０秒間連続した振動モータ２３の駆動による着信を報知するための振動を開始させる（ステップＦ１８）。
【０１２３】
このときも、上記図１３で示したようなＬＣＤパネル３３での着信の報知の表示を同時に行ない、以上でこの図９及び図１０の処理を終了すると共に、上記図５の着信報知処理も終了して、図２でステップＡ０１からの処理に戻る。
【０１２４】
また、上記ステップＧ１５で算出したパルスの数と積算値の少なくとも一方が所定の範囲を超えているものと判断した場合には、ただちに着信が検出できなかったものとして、以上でこの図９及び図１０の処理を終了すると共に、上記図５の着信報知処理も終了して、図２でのステップＡ０１からの処理に戻る。
【０１２５】
さらに、上記ステップＧ１５で算出したパルスの数と積算値の少なくとも一方が所定の範囲を下回っているものと判断した場合には、続けて３度目の２５０ｍｓｅｃ間の受信信号検出回路２０の検出結果を読込む処理を実行し（ステップＧ１９）、都合３回の連続した２５０ｍｓｅｃの間のパルスの積算値と特にこのうちの３回目の２５０ｍｓｅｃの間のパルスの数とを算出する（ステップＧ２０）。
【０１２６】
そして、この算出したパルスの数と積算値とがそれぞれ所定の範囲内から外れていないか否かを判断し（ステップＧ２１）、そのいずれもがその所定範囲内にあると判断した場合には、やはり着信があったものと判断し、ＲＡＭ２７の検出フラグをオフに設定し（ステップＧ２２）、合わせて同制御フラグもオフに設定した後に（ステップＧ２３）、制御信号コントロール回路２９から振動モータ部２１のモータ駆動回路２２に駆動制御信号を送出することで、一定時間、例えば１０秒間連続した振動モータ２３の駆動による着信を報知するための振動を開始させる（ステップＦ２４）。
【０１２７】
このときも、上記図１３で示したようなＬＣＤパネル３３での着信の報知の表示を同時に行なうもので、以上でこの図９及び図１０の処理を終了すると共に、上記図５の着信報知処理も終了して、図２でステップＡ０１からの処理に戻る。
【０１２８】
また、上記ステップＧ２１で算出したパルスの数と積算値との少なくとも一方が所定の範囲から外れていると判断した場合には、ただちに着信が検出できなかったものとして、以上でこの図９及び図１０の処理を終了すると共に、上記図５の着信報知処理も終了して、図２でステップＡ０１からの処理に戻る。
【０１２９】
なお、上記ステップＧ１１で読込んだ受信信号検出回路２０の検出結果がパルスが無しと判断した場合には、以上でこの図９及び図１０の処理を終了すると共に、上記図５の着信報知処理も終了して、図２でステップＡ０１からの処理に戻る。
【０１３０】
以上のように、着信報知を行なう対象となる携帯電話機の機種がアナログ／デジタル方式のいずれであっても、郊外モードと雑踏モードとに応じて頻度を自動的に可変設定して着信検出報知の処理を行ない、特に雑踏モードでは受信部１２を常時動作させた上で受信信号の細部の特徴も検出して誤報知を回避するようにしたため、自機以外の携帯電話機への着信に際して誤報知を行なうことがなく、且つ誤報知を行なってしまう可能性が低い場合には簡潔受信動作を行なうモードに自動的に切換変更するようにして消費電力を極力小さくすることで、他の携帯使用される小型の電子機器の一機能としても容易に組込むことが可能となる。
なお、本発明は上記実施の形態に限定されるものではなく、その要旨を逸脱しない範囲内で種々変形して実施することが可能であるものとする。
【０１３１】
【発明の効果】
請求項１記載の発明によれば、混雑した環境下にあっても誤動作を起こすことがなく、且つ誤動作を起こす可能性の低い環境下では間欠受信により消費電力を極力小さくすることができるので、他の小型の携帯電子機器の一機能として容易に組込むことが可能となる。
【０１３２】
請求項２記載の発明によれば、上記請求項１記載の発明の効果に加えて、無駄な重複動作を避けるようにしたため、より消費電力を小さくして、電源を有効に使用することができる。
【０１３３】
請求項３記載の発明によれば、上記請求項１記載の発明の効果に加えて、方式の異なる複数の電波にも対応しながら、指定した方式に該当する報知のみを行なう、より誤動作を行ないにくいものとすることができる。
【０１３４】
請求項４記載の発明によれば、上記請求項１記載の発明の効果に加えて、その時点で動作しているモード状態を使用者が確認することができる。
請求項５記載の発明によれば、上記請求項３記載の発明の効果に加えて、報知の対象となる受信電波の方式を使用者が確認することができる。
【０１３５】
請求項６記載の発明によれば、混雑した環境下にあっても誤動作を起こすことがなく、且つ誤動作を起こす可能性の低い環境下では間欠受信により消費電力を極力小さくすることができるので、他の小型の携帯電子機器の一機能として容易に組込むことが可能となる。
【０１３６】
請求項７記載の発明によれば、混雑した環境下にあっても誤動作を起こすことがなく、且つ誤動作を起こす可能性の低い環境下では間欠受信により消費電力を極力小さくすることができるので、他の小型の携帯電子機器の一機能として容易に組込むことが可能となる。
【図面の簡単な説明】
【図１】本発明の実施の一形態に係る回路構成を示すブロック図。
【図２】同実施の形態に係る統括処理状態を示すフローチャート。
【図３】同実施の形態に係る統括処理状態を示すフローチャート。
【図４】図３の設定処理の内容を示すフローチャート。
【図５】図３の着信検出報知処理の内容を示すフローチャート。
【図６】図５のアナログ郊外モードでの着信検出報知処理の内容を示すフローチャート。
【図７】図５のアナログ雑踏モードでの着信検出報知処理の内容を示すフローチャート。
【図８】図５のデジタル郊外モードでの着信検出報知処理の内容を示すフローチャート。
【図９】図５のデジタル雑踏モードでの着信検出報知処理の内容を示すフローチャート。
【図１０】図５のデジタル雑踏モードでの着信検出報知処理の内容を示すフローチャート。
【図１１】同実施の形態に係る動作時の表示画面を例示する図。
【図１２】同実施の形態に係る動作時の表示画面を例示する図。
【図１３】同実施の形態に係る動作時の表示画面を例示する図。
【図１４】同実施の形態に係る着信の検出動作を説明する図。
【符号の説明】
１１…アンテナ
１２…受信部
１３…フロントエンド部
１４…バンドパスフィルタ（ＢＰＦ）
１５…高周波増幅器
１６…バンドパスフィルタ（ＢＰＦ）
１７…復調検波回路
１８…感度切換回路
１９…電源制御回路
２０…受信信号検出回路
２１…振動モータ部
２２…モータ駆動回路
２３…振動モータ
２４…時計回路
２５…スイッチ部
２６…ＭＰＵ
２７…ＲＡＭ
２８…ＲＯＭ
２９…制御信号コントロール回路
３０…入力回路
３１…ＣＰＵ
３２…表示ドライバ
３３…ＬＣＤパネル
【図１】
0003972468.tif 000002
【図２】
0003972468.tif 000003
【図３】
0003972468.tif 000004
【図４】
0003972468.tif 000005
【図５】
0003972468.tif 000006
【図６】
0003972468.tif 000007
【図７】
0003972468.tif 000008
【図８】
0003972468.tif 000009
【図９】
0003972468.tif 000010
【図１０】
0003972468.tif 000011
【図１１】
0003972468.tif 000012
【図１２】
0003972468.tif 000013
【図１３】
0003972468.tif 000014
【図１４】
0003972468.tif 000015